(57)【要約】【課題】装置内部における情報伝達を高速化でき、これにより処理パフォーマンスの向上を図ったネットワーク接続装置を提供すること。【解決手段】ゲートウェイ装置１の内部における情報通信を汎用プロトコルを用いたＬＡＮを介して実現する。すなわち、各インタフェース基板Ｉ／Ｆ１８を現用系ＬＡＮスイッチ１８０および予備系ＬＡＮスイッチ１８１を介して制御部１６に接続する。ＬＡＮスイッチを冗長化して障害に対する耐性を高める。さらに、ＬＡＮを介してＩＰパケットを伝送することによりＩＰ網ＤＮとの親和性を高める。【選択図】      図７
2006211033.tif 000002
【特許請求の範囲】
【請求項１】
複数の加入者端末ごとにそれぞれ割り当てられる複数のアクセス回線により形成される加入者網と公衆網との網間接続点よりも前記加入者網側に配置され、前記加入者網と、前記公衆網と、前記公衆網とは通信プロトコルの異なる情報通信網とに接続されるネットワーク接続装置であって、
前記加入者網に接続されて前記複数のアクセス回線を終端する加入者網インタフェース手段と、
予め設計される通信容量の接続回線を介して前記公衆網に接続され前記接続回線を終端する公衆網インタフェース手段と、
前記公衆網および前記情報通信網と前記複数のアクセス回線のそれぞれとの間の通信経路を交換接続する交換手段と、
前記接続回線の通信容量に基づいて前記交換手段における前記通信経路の接続状態を制御する制御手段と、
前記交換手段と前記情報通信網との間に設けられ、当該情報通信網とこの情報通信網に接続されるアクセス回線との間で授受される信号の形態を、前記情報通信網の通信プロトコルおよび前記加入者網の通信プロトコルにそれぞれ適した形態に変換する信号変換手段と、
前記信号変換手段により前記情報通信網の通信プロトコルに適した形態に変換された信号を当該情報通信網における宛先に向け経路制御して送出するスイッチング手段と、
前記加入者網インタフェース手段と、前記公衆網インタフェース手段と、前記制御手段と、前記信号変換手段と、前記スイッチング手段との間での情報通信を、標準化された汎用ＬＡＮ（Local Area Network）を用いて媒介する情報通信手段とを具備することを特徴とするネットワーク接続装置。
【請求項２】
前記情報通信手段は、
前記汎用ＬＡＮを介して前記加入者網インタフェース手段に接続される第１ＬＡＮスイッチと、
前記汎用ＬＡＮを介して前記公衆網インタフェース手段に接続される第２ＬＡＮスイッチと、
前記汎用ＬＡＮを介して前記制御手段に接続される第３ＬＡＮスイッチと、
前記汎用ＬＡＮを介して前記信号変換手段に接続される第４ＬＡＮスイッチとを備え、
さらに、前記第１乃至第４スイッチは前記汎用ＬＡＮを介して互いに接続されることを特徴とする請求項１に記載のネットワーク接続装置。
【請求項３】
前記第１乃至第４ＬＡＮスイッチの少なくともいずれか１は、現用系ＬＡＮスイッチおよび予備系ＬＡＮスイッチを備えて冗長化され、
さらに、前記現用系ＬＡＮスイッチと前記予備系ＬＡＮスイッチとの間を前記汎用ＬＡＮを介して接続して当該現用系ＬＡＮスイッチと予備系ＬＡＮスイッチとの間での情報通信を媒介する接続手段を具備することを特徴とする請求項２に記載のネットワーク接続装置。
【請求項４】
前記第１乃至第４ＬＡＮスイッチは、自己の動作状態を自律的にモニタし、その結果を前記汎用ＬＡＮを介して前記制御手段に通知する通知手段を備えることを特徴とする請求項２に記載のネットワーク接続装置。
【請求項５】
前記スイッチング手段は、前記情報通信網から前記汎用ＬＡＮへのアクセスを制限する制限手段を備えることを特徴とする請求項１に記載のネットワーク接続装置。
【請求項６】
前記情報通信網がパケット通信網である場合に、前記汎用ＬＡＮは当該パケット通信網と共通のフレーム構造を持つパケットを伝送し、
前記スイッチング手段は、前記パケットのヘッダに記載されるアドレス情報を変換することにより前記汎用ＬＡＮと前記情報通信網との間での情報通信を仲介することを特徴とする請求項１に記載のネットワーク接続装置。
【請求項７】
前記汎用ＬＡＮはイーサネット（登録商標）であることを特徴とする請求項１に記載のネットワーク接続装置。
【請求項８】
前記制御手段は、前記現用系ＬＡＮスイッチおよび予備系ＬＡＮスイッチをそれぞれ個別にリセットする機能を備えることを特徴とする請求項３に記載のネットワーク接続装置。
【請求項９】
前記現用系ＬＡＮスイッチおよび前記予備系ＬＡＮスイッチは、前記加入者網インタフェース手段および前記公衆網インタフェース手段において系切替信号により切り替えられるリレーを介して接続されることを特徴とする請求項３に記載のネットワーク接続装置。
【発明の詳細な説明】
【技術分野】
【０００１】
本発明は、例えば回線交換網とＩＰ（Internet Protocol）網とを相互に接続するために用いられるネットワーク接続装置に関する。
【背景技術】
【０００２】
近年になり情報通信ニーズの増大や通信の自由化が進展するにつれ、音声およびデータ通信を含む情報通信サービスが多様化してきている。このような背景から通信サービス分野に新たに参入する事業者（キャリア）も増えてきており、キャリア間のサービス競争が盛んになってきている。新規のキャリアはＮＣＣ（New common carrier）と称され、ＶｏＩＰ（Voice over Internet Protocol）などの技術を用いて様々なサービスを提供している。ＶｏＩＰ（ヴォイプ）とはディジタルの音声データをパケット化して伝送することにより、音声系ネットワークとデータ系ネットワークとを統合する技術である。
【０００３】
ＮＣＣは、加入者回線を既に持つ特定のキャリアから、交換機などの設備を既定の料金で借り受けることが多い。またＮＣＣの多くは、自らの資金で例えばＩＰ網などの自前の交換ネットワークを構築する。これに、特定キャリアの回線交換網（ＰＳＴＮ：Public Switched Telephone Network）も加えて通信システムが形成され、一般ユーザへのサービスの提供にあたってはこれらの設備が複合的に利用される。
【０００４】
ＰＳＴＮとＩＰ網とのように異なる通信ネットワークを互いに相互接続するために、ゲートウェイ装置などのネットワーク接続装置が用いられる。この種の装置は音声データやバイナリデータをＩＰ（Internet Protocol）パケットに変換するＩＰ変換部や、ＩＰパケットをスイッチングするパケットスイッチ部を備える。下記特許文献１に、この種の装置の一例が開示される。この文献にはネットワーク接続装置の一例としてボタン電話主装置が開示される。
【特許文献１】特開平１１−２０５８３１号公報
【発明の開示】
【発明が解決しようとする課題】
【０００５】
ところで、この種の装置における内部制御方式は、装置ベンダごとに独自の方式が採用されていたり、またシリアル伝送などの低速の伝送方式であることが多い。装置内部のデータ伝送速度が低速であると、例えば障害情報を外部のネットワーク管理装置に通知する処理のパフォーマンスが劣化し、管理のレスポンスが遅くなるという不具合が生じる。さらにネットワーク接続装置とこれを管理するネットワーク管理装置とは、ＩＰ（Internet Protocol）を介して接続されることが多い。よって内部制御方式に独自の方式が採られている場合にはプロトコル変換処理が必要となり、レスポンスがますます低下するなどの不具合も生じる。
【０００６】
本発明は上記事情によりなされたもので、その目的は、装置内部における情報伝達を高速化でき、これにより処理パフォーマンスの向上を図ったネットワーク接続装置を提供することにある。
【課題を解決するための手段】
【０００７】
上記目的を達成するために、本願発明の一態様によれば、複数の加入者端末ごとにそれぞれ割り当てられる複数のアクセス回線（例えば加入者回線１１４）により形成される加入者網と、ＰＳＴＮなどの公衆網（例えば回線交換網ＸＮ）との網間接続点よりも前記加入者網側に配置され、前記加入者網と、前記公衆網と、前記公衆網とは通信プロトコルの異なる情報通信網（例えばＩＰ網ＤＮ）とに接続されるネットワーク接続装置（例えばゲートウェイ装置１）であって、前記加入者網に接続されて前記複数のアクセス回線を終端する加入者網インタフェース手段（例えば時分割多重バス１１０および加入者回線インタフェース１１）と、予め設計される通信容量の接続回線（例えば加入者回線１１５）を介して前記公衆網に接続され前記接続回線を終端する公衆網インタフェース手段（例えば時分割多重バス１１０および加入者回線インタフェース１２）と、前記公衆網および前記情報通信網と前記複数のアクセス回線のそれぞれとの間の通信経路を交換接続する交換手段（例えば交換部１００）と、前記接続回線の通信容量に基づいて前記交換手段における前記通信経路の接続状態を制御する制御手段（例えば制御部１６）と、前記交換手段と前記情報通信網との間に設けられ、当該情報通信網とこの情報通信網に接続されるアクセス回線との間で授受される信号の形態を、前記情報通信網の通信プロトコルおよび前記加入者網の通信プロトコルにそれぞれ適した形態に変換する信号変換手段（例えばＩＰ変換部１４）と、前記信号変換手段により前記情報通信網の通信プロトコルに適した形態に変換された信号を当該情報通信網における宛先に向け経路制御して送出するスイッチング手段（例えばパケットスイッチ１５）と、前記加入者網インタフェース手段と、前記公衆網インタフェース手段と、前記制御手段と、前記信号変換手段と、前記スイッチング手段との間での情報通信を、標準化された汎用ＬＡＮ（Local Area Network）を用いて媒介する情報通信手段（例えば集線部）とを具備することを特徴とするネットワーク接続装置が提供される。
【０００８】
このような手段を講じることにより、ゲートウェイ装置１内部の各部はイーサネット（登録商標）などの汎用ＬＡＮを介して互いに接続され、情報を授受することが可能になる。これにより専用の通信プロトコルを開発すること無く、装置内部の内部制御を実現することができる。特に、ＩＥＥＥ ８０２シリーズ勧告などにおいてはＬＡＮにおける種々の通信速度が既定されている。これらのプロトコルを採用することにより、必要に応じて装置内部のデータ伝送速度を任意に決めることができる。よって内部処理の高速化を図ることが可能になる。また、汎用ＬＡＮのプロトコルを情報通信網のプロトコルに準じた形式にすることにより、装置内部と情報通信網とのインタフェースを簡略化することができる。これによりプロトコル変換などの複雑な処理を実施する必要が無くなり、情報通信網に設けられるネットワーク管理装置などとの通信速度を向上させることも可能になる。
【発明の効果】
【０００９】
本発明によれば、装置内部における情報伝達を高速化でき、これにより処理パフォーマンスの向上を図ったネットワーク接続装置を提供することができる。
【発明を実施するための最良の形態】
【００１０】
図１は、本発明に係わる通信システムの実施の形態を示すシステム図である。図１において加入者網ＳＮの複数の加入者回線１１４は、まずゲートウェイ装置１に収容される。ゲートウェイ装置１はＩＰ網ＤＮに接続される。ＩＰ網ＤＮはパケット通信網であり、ＮＣＣの独自網などとして形成される。またＩＰ網ＤＮとしてインターネットを接続することもできる。
【００１１】
加入者網ＳＮには、加入者端末５や移動電話システムの基地局ＣＳ１、および無線端末ＰＳ１などが属する。加入者端末５および基地局ＣＳ１は加入者回線１１４を介してゲートウェイ装置１に接続される。加入者回線１１４は複数の加入者端末５や無線端末ＰＳ１ごとに割り当てられるアクセス回線である。
【００１２】
ゲートウェイ装置１は、加入者網ＳＮから発せられた信号（音声データや映像、画像データなどのディジタルデータ信号）をＩＰ網ＤＮに送出する。またゲートウェイ装置１は、ＩＰ網ＤＮからの加入者網ＳＮ内の端末に宛てた信号を加入者網ＳＮ内に送出し、当該端末に着信させる。これにより、ＩＰ網ＤＮに属する加入者端末７と、加入者端末５および無線端末ＰＳ１との間に双方向の通信経路を任意に設定することができる。さらに図１のシステムでは、ネットワーク監視装置ＭＥがＩＰ網ＤＮに設けられる。ネットワーク監視装置ＭＥはＩＰ網ＤＮを介してゲートウェイ装置１と種々の情報を授受し、主にゲートウェイ装置１の運用状態を管理する。
【００１３】
図２は、既存の音声通信システムを示すシステムブロック図である。図２において加入者網ＳＮの加入者端末５は、回線交換網ＸＮの交換機３に加入者回線１１４を介して収容される。交換機３は回線交換網ＸＮに属する設備である。なお図１のシステムと図２のシステムとを組み合わせる場合、ゲートウェイ装置１は交換機３よりも加入者端末側に設けられる。よって加入者網ＳＮと回線交換網ＸＮとの網間接続点は、ゲートウェイ装置１と交換機３との間の接続箇所となる。すなわちゲートウェイ装置１は、加入者網ＳＮと回線交換網ＸＮとの網間接続点よりも加入者網ＳＮ側に配置される。また加入者網ＳＮと、回線交換網ＸＮとＩＰ網ＤＮとの通信プロトコルは互いに異なる。
【００１４】
図３は、図１のゲートウェイ装置１の実施の形態を示す機能ブロック図である。図３においてゲートウェイ装置１は、制御部１６と加入者回線インタフェース１１，１２とを備える。加入者回線インタフェース１１は加入者回線１１４のインタフェース制御を行い、加入者回線インタフェース１２は加入者回線１１５のインタフェース制御を行う。
【００１５】
すなわち加入者回線インタフェース１１は加入者回線１１４を介して加入者端末や無線基地局を収容し、ＩＳＤＮ（Integrated Service Digital Network）の交換局側インタフェースを提供する。加入者回線インタフェース１２は加入者回線１１５に接続され、ＩＳＤＮの端末側インタフェースを提供する。なお加入者回線１１５の通信容量はトラヒックの需要予測に基づいて予め設計される。
【００１６】
制御部１６は交換部１００を備える。交換部１００は、ＩＰ網ＤＮと加入者回線１１４のそれぞれとの通信経路を交換接続する。また回線交換網ＸＮがゲートウェイ装置１に接続されている場合には、交換部１００は、回線交換網ＸＮおよびＩＰ網ＤＮと加入者回線１１４のそれぞれとの通信経路を交換接続する。
【００１７】
さらに図３のゲートウェイ装置１は、ＩＰ変換部１４およびパケットスイッチ１５を備える。ＩＰ変換部１４は制御部１６とＩＰ網ＤＮとの間に設けられ、網間のプロトコル変換を行う。すなわちＩＰ変換部１４は、他の通信網（回線交換網ＸＮなど）を介して与えられる時分割多重信号をＩＰパケットに変換し、パケットスイッチ１５に入力する。ＩＰパケットは宛先ＩＰアドレスに従ってルーティングされ、ＬＡＮ（Local Area Network）ケーブル１１７を介してＩＰ網ＤＮに送出される。またＩＰ変換部１４は、ＩＰ網ＤＮからＬＡＮケーブル１１７およびパケットスイッチ１５を介して入力されるＩＰパケットを時分割多重信号に変換する。
【００１８】
なお、図３において加入者回線インタフェース１１に収容される加入者回線１１４の回線収容数と、加入者回線インタフェース１２に収容される加入者回線１１５の回線収容数すなわち通信容量とは、同数とする。または、加入者回線インタフェース１１に収容される加入者回線１１４の回線収容数を、加入者回線インタフェース１２に収容される加入者回線１１５の回線収容数よりも多くする。このようにするとシステムの設計上、有利である。
【００１９】
制御部１６はゲートウェイ装置１の全体の制御を行う。つまり、制御部１６は加入者回線インタフェース１１、加入者回線インタフェース１２に対して加入者回線１１４、加入者回線１１５の制御を行うよう要求したり、加入者回線インタフェース１１、加入者回線インタフェース１２が検出した障害を総合的に管理する。
【００２０】
ゲートウェイ装置１の制御部１６はＩＰ網ＤＮ経由でネットワーク監視装置ＭＥに接続される。ネットワーク監視装置ＭＥは制御部１６と通信を行い、総合的に管理している情報をネットワーク監視装置ＭＥ側で表示することにより、ゲートウェイ装置１を遠隔から監視、管理することができる。
【００２１】
図３において、制御部１６はＩＰ変換部１４およびパケットスイッチ１５を介してＩＰ網ＤＮに接続される。加入者回線インタフェース１１，１２および制御部１６はいずれも専用のＣＰＵ（Central Processing Unit）およびメモリ（図示せず）を備え、各メモリに記憶されるプログラムに基づくＣＰＵの演算処理により動作する。
【００２２】
図４は、図３の加入者回線インタフェース１１，１２の要部構成を示す機能ブロック図である。図４において、加入者回線１１４，１１５は基本インタフェース処理部１１１に接続される。基本インタフェース処理部１１１はクロック分配ラインＣＬを介して与えられる内部クロックに基づいて動作し、ＩＳＤＮの交換局側インタフェース（Ｕインタフェース）を終端する。すなわち基本インタフェース処理部１１１は、Ｂ１，Ｂ２チャネルおよびＤチャネルを含むＩＳＤＮフォーマットの信号を、例えば複数のタイムスロットがバイトインタリーブされる時分割多重信号に変換する。この時分割多重信号は交換部１００とのインタフェースであるＰＣＭ-ＨＷ Ｉ／Ｆ（PCM - Highway Interface）１１２を介して交換部１００に与えられる。なおＢ１，Ｂ２チャネルはディジタル符号化された音声データおよびＬＡＰＢ（Link Access Procedure Balanced）データの伝送に用いられる。Ｄチャネルは呼制御信号やＤチャネルパケットなどの伝送に用いられる。
【００２３】
このほか、図４において加入者回線インタフェース１１は、制御プロセッサＣＰＵ（Central Processing Unit）１１３、ＲＯＭ（Read Only Memory）２１４、ＲＡＭ（Random Access Memory）２１５、ＨＤＬＣ（High level Data Link Controller）１１６、ＬＡＮインタフェース（Ｉ／Ｆ）２１７、および、バスライン１１８を備える。
【００２４】
加入者回線インタフェース１１内の各部はバスライン１１８を介して互いに接続される。制御プロセッサＣＰＵ１１３はＲＯＭ２１４およびＲＡＭ２１５に記憶される制御プログラムに基づいて加入者回線インタフェース１１の動作に係わる各種制御を統括的に実行する。ＨＤＬＣ１１６はＤチャネルに含まれる呼制御信号を終端する。ＬＡＮＩ／Ｆ２１７は内部バス１９を介してリレー２１８に接続される。リレー２１８は、集線部から配線される０系または１系の内部バス１９を、系切替信号に応じてＬＡＮＩ／Ｆ２１７に接続する。
【００２５】
図５は、図３の制御部１６の要部構成を示す機能ブロック図である。なお制御部１６は，後述するように０系制御部１６ａと１系制御部１６ｂとに二重化される。図５において、回線交換スイッチ（ＴＳＷ）１３は図３の交換部１００に対応する。ＴＳＷ１３は加入者回線インタフェース１１、加入者回線インタフェース１２、および、ＩＰ変換部１４に時分割多重バス１１０を介して接続される。ＴＳＷ１３は回線接続設定に従って時分割多重バス１１０上のタイムスロットを入れ換える。これにより、加入者回線インタフェース１１、加入者回線インタフェース１２、およびＩＰ変換部１４間の通信経路が交換接続される。
【００２６】
制御部１６は、ＲＯＭ１６２およびＲＡＭ１６３に記憶される制御プログラムに基づく制御プロセッサＣＰＵ１６１の処理により、ゲートウェイ装置１の動作に係わる各種制御を統括的に実行する。特に制御部１６は、加入者回線インタフェース１２と交換部１００とを結ぶ時分割多重バス１１０の通信容量、および、加入者回線１１５の通信容量に基づいてＴＳＷ１３における通信経路の接続状態を制御する。
【００２７】
クロック部１７は、任意の加入者回線１１５をクロックマスターとして加入者回線インタフェース１２から選択する。選択されたクロックマスターはクロック供給ラインＤＬを介してクロック部１７に接続され、クロック部１７にマスタークロックを供給する。クロック部１７はネットワーククロックに同期する内部クロックをマスタークロックから生成する。この内部クロックはクロック分配ラインＣＬを介してゲートウェイ装置１の各部に分配供給される。これによりゲートウェイ装置１はネットワーククロックに同期して動作する。
【００２８】
このほか、図５において制御部１６は、ＬＡＮＩ／Ｆ１６４とバスライン１６５とを備える。制御部６内の各部はバスライン１６５を介して互いに接続される。ＬＡＮＩ／Ｆ１６４は２系統設けられ、一方は内部バス１９を介してＬＡＮスイッチ２００，２０１側（後述する）に接続され、他方はパケットスイッチ１５側に接続される。さらに制御部１６は、系状態制御部１６９を備える。系状態制御部１６９は現用系（０系）と予備系（１系）との冗長切替にかかわる制御を行う。
【００２９】
図６は、図３のＩＰ変換部１４の要部構成を示す機能ブロック図である。図６において、交換部１００から時分割多重バス１１０を介して伝送される時分割多重データはＰＣＭ-ＨＷ Ｉ／Ｆ１４２によりインタフェース処理され、ＤＳＰ（Digital Signal Processor）１４１に与えられる。ＤＳＰ１４１は音声データをパケット化する。
【００３０】
ＨＤＬＣ１４６はＬＡＰＢ制御信号を終端し、同様にパケット化する。ＤＳＰ１４１およびＨＤＬＣ１４６において生成されたパケットデータは、パケットインタフェース（Ｉ／Ｆ）１４８からシリアルバス２１６を介してパケットスイッチ１５に出力される。制御プロセッサＣＰＵ１４３は、ＲＯＭ１４４およびＲＡＭ１４５に記憶される制御プログラムに基づいてＩＰ変換部１４の動作に係わる各種制御を統括的に実行する。ＬＡＮＩ／Ｆ１４７は内部バス１９を介して制御部１６と種々の信号を授受する。ＬＡＮＩ／Ｆ１４７は内部バス１９を介してリレー１４９に接続される。リレー１４９は、集線部から配線される０系または１系の内部バス１９を、系切替信号に応じてＬＡＮＩ／Ｆ１４７に接続する。
【００３１】
図７は、図１のゲートウェイ装置１のより詳細な実施の形態を示す機能ブロック図である。図７において、図３の加入者回線インタフェース１１、加入者回線インタフェース１２、およびＩＰ変換部１４はいずれも専用のインタフェース基板（Ｉ／Ｆ１８）としてゲートウェイ装置１に実装される。
【００３２】
一方、集線部は複数のＬＡＮスイッチ（ＬＡＮ−ＳＷ）１８０，１８１を備える。ＬＡＮスイッチ１８０，１８１は互いに対をなし、一方が他方の冗長系として動作する。ＬＡＮスイッチ１８０を０系（現用系）とし、ＬＡＮスイッチ１８１を１系（予備系）とする。各インタフェース基板Ｉ／Ｆ１８はいずれも共通の通信インタフェースを介してＬＡＮスイッチ１８０，１８１に接続され、いずれかのＬＡＮスイッチから与えられる制御パケットにより動作制御される。さらに、全てのＬＡＮスイッチ１８０は０系内部バスを介してＬＡＮスイッチ２００に接続され、全てのＬＡＮスイッチ１８１は１系内部バスを介してＬＡＮスイッチ２０１に接続される。なお、ＬＡＮスイッチ１８０，１８１，２００，２０１は、レイや２またはレイヤ３スイッチのいずれでもよい。
【００３３】
またＬＡＮスイッチ１８０，１８１，２００，２０１は、自身の状態（障害状態や統計情報）を制御部１６に自律的に通知する機能を有する。制御部１６はこの通知情報に基づいてＬＡＮスイッチ１８０，１８１，２００，２０１を統括的に制御し、各インタフェース基板Ｉ／Ｆ１８と制御部１６との通信が正常であるか否かなどを判断する。
【００３４】
制御部１６は、０系制御部１６ａと、１系制御部１６ｂと、系切替制御部１６ｃとを備える。０系制御部１６ａはＬＡＮスイッチ２００に接続され、１系制御部１６ｂはＬＡＮスイッチ２０１に接続される。系切替制御部１６ｃは各インタフェース基板Ｉ／Ｆ１８に系切替信号を出力し、リレー２１８，１２９，１４９を切替動作させる。０系制御部１６ａと１系制御部１６ｂとは接続され、各インタフェース基板Ｉ／Ｆ１８の動作制御に係わる情報を定期的に授受する。
【００３５】
０系制御部１６ａおよび１系制御部１６ｂは、パケットスイッチ１５に接続される。パケットスイッチはＬＡＮケーブルを介してＩＰ網ＤＮに接続される。これにより０系制御部１６ａおよび１系制御部１６ｂと、ネットワーク管理装置ＭＥとの間での情報通信が可能になる。
【００３６】
０系制御部１６ａは、リセット信号をＬＡＮスイッチ１８０に与えることによりＬＡＮスイッチ１８０をリセットする機能を備える。１系制御部１６ｂは、リセット信号をＬＡＮスイッチ１８１に与えることによりＬＡＮスイッチ１８１をリセットする機能を備える。いずれのリセット処理も、ハードウェアで実施するようにする。
【００３７】
上記構成によれば、各インタフェース基板Ｉ／Ｆ１８はいずれもＬＡＮを介して制御部１６に接続される。これにより各インタフェース基板Ｉ／Ｆ１８と制御部１６との間で、例えばＣＳＭＡ／ＣＤに基づく汎用ＬＡＮプロトコルによる情報通信が実現され、データ伝送速度を自在に向上させることが可能になる。従って情報取得にかかる時間や、各種制御にかかる時間を短縮することができる。  
また内部バス１９の数も、各インタフェース基板Ｉ／Ｆ１８に収容される回線数に応じて自在に増減することができ、拡張性を高めることも可能になる。
【００３８】
また上記構成によれば、制御部１６から各インタフェース基板Ｉ／Ｆ１８に至る内部制御路は０系と１系とに冗長化され、それぞれにＬＡＮスイッチ（１８０，１８１）と制御部（１６ａ，１６ｂ）とが接続されることになる。これにより、例えば０系が機能している状態で０系制御部１６ａ、ＬＡＮスイッチ１８０のいずれか、または内部バス１９に障害が発生した場合でも、０系を停止して１系に動作を切り替えることにより、システムの停止を防止して運転を継続することが可能になる。
【００３９】
また本実施形態では、ＬＡＮスイッチ１８０，１８１をリセットできるようにしている。ＬＡＮスイッチ１８０，１８１がレイヤ２スイッチである場合、冗長切り替え時にＭＡＣ（Media Access Control）学習テーブルに異常が生じて制御通信が不通になる場合がある。そこで、系切替時にＬＡＮスイッチをリセットすることにより、制御通信を速やかに再開することが可能になる。これにより、エージングタイムの期間において制御通信ができずに装置内制御、基板間における通知情報の授受および障害の検出などの処理が不能となって装置状態が不安定になること、を防止できる。
【００４０】
また、０系制御部１６ａと１系制御部１６ｂとがＬＡＮスイッチ２００，２０１を用いて制御情報を定期的に情報を授受することにより、両制御部が持つ情報を同期させることが可能になる。これにより、例えば０系が機能している状態から冗長切り替えが生じても、１系に切り替わるまでの間の情報を０系制御部１６ａと１系制御部１６ｂとで共通化できる。これにより冗長切り替えに際してデータのリロードなどにかかるタイムラグを生じること無く、ゲートウェイ装置１の運用を継続することが可能になる。
【００４１】
さらに本実施形態では、ゲートウェイ装置１の内部通信をＬＡＮにより実現していることから、ＩＰ網ＤＮとの親和性に優れる。これにより、ネットワーク管理装置ＭＥとの間で情報を授受するには、パケットヘッダのアドレスを変換する程度の処理で済む。これによりプロトコル変換などの複雑な処理を要すること無く、データ伝送にかかる時間を更に短縮することが可能になる。これらのことから、装置内部における情報伝達を高速化でき、これにより処理パフォーマンスの向上を図ったネットワーク接続装置を提供することが可能となる。さらにインタフェース基板１８内にリレーを設けることにより、制御情報パケットがＬＡＮを周回することを無くし、制御の誤動作を防ぐことが可能になる。
【００４２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００４３】
【図１】本発明に係わる通信システムの実施の形態を示すシステム図。
【図２】既存の音声通信システムを示すシステムブロック図。
【図３】図１のゲートウェイ装置１の実施の形態を示す機能ブロック図。
【図４】図３の加入者回線インタフェース１１，１２の要部構成を示す機能ブロック図。
【図５】図３の交換部１００の要部構成を示す機能ブロック図。
【図６】図３のＩＰ変換部１４の要部構成を示す機能ブロック図。
【図７】図１のゲートウェイ装置１のより詳細な実施の形態を示す機能ブロック図。
【符号の説明】
【００４４】
ＳＮ…加入者網、ＤＮ…ＩＰ網、ＸＮ…回線交換網、ＭＥ…ネットワーク管理装置、ＣＬ…クロック分配ライン、ＤＬ…クロック供給ライン、Ｉ／Ｆ１８…インタフェース基板、１…ゲートウェイ装置、ＣＳ１…基地局、ＰＳ１…無線端末、３…交換機、５〜７…加入者端末、１１，１２…加入者回線インタフェース、１４…ＩＰ変換部、１５…パケットスイッチ、１６…制御部、１６ａ…０系制御部、１６ｂ…１系制御部、１６ｃ…系切替制御部、１７…クロック部、１９…内部バス、１００…交換部、１１０…時分割多重バス、１１１…基本インタフェース処理部、１１２，１４１…ＰＣＭ-ＨＷ Ｉ／Ｆ、１１３…制御プロセッサＣＰＵ、１１４，１１５…加入者回線、１１６…ＨＤＬＣ、１１７…ＬＡＮケーブル、１１８…バスライン、１４１…ＤＳＰ、１４３…制御プロセッサＣＰＵ、１４４…ＲＯＭ、１４５…ＲＡＭ、１４６…ＨＤＬＣ、１４８…パケットインタフェース、１４９…リレー、１６１…制御プロセッサＣＰＵ、１６２…ＲＯＭ、１６３…ＲＡＭ、１６５…バスライン、１８０，１８１…ＬＡＮスイッチ、２００，２０１…ＬＡＮスイッチ、２１４…ＲＯＭ、２１５…ＲＡＭ、２１６…シリアルバス、２１７…ＬＡＮインタフェース、２１８…リレー、１２９，１４９，２１８…リレー、１６９…系状態制御部
【図１】
2006211033.tif 000003
【図２】
2006211033.tif 000004
【図３】
2006211033.tif 000005
【図４】
2006211033.tif 000006
【図５】
2006211033.tif 000007
【図６】
2006211033.tif 000008
【図７】
2006211033.tif 000009